(57)【要約】【課題】液晶パネルの外部またはバックライトユニットの外部のうち、少なくとも１つの外部を囲む偏光部を用いて、液晶パネルとバックライトユニットが一体化されたディスプレイ装置を提供する。【解決手段】液晶パネル、上記液晶パネルに光を提供する光源を含むバックライトユニット及び上記液晶パネルに付着される偏光部を含み、上記偏光部は上記液晶パネルの外側方向に延長形成され、上記液晶パネルの外部と上記バックライトユニットの外部のうち、少なくとも１つの外部を囲むことを特徴とする。【選択図】図２
2014170216.tif 000002
【特許請求の範囲】
【請求項１】
液晶パネル、
上記液晶パネルに光を提供する光源を含むバックライトユニット、及び
上記液晶パネルに付着される偏光部を含み、
上記偏光部は、上記液晶パネルの外側方向に延長形成され、上記液晶パネルの外部と上記バックライトユニットの外部のうち、少なくとも１つの外部を囲む
ことを特徴とするディスプレイ装置。
【請求項２】
上記偏光部は、
上記液晶パネルの上部に付着される第１偏光部材、及び
上記液晶パネルの下部に付着される第２偏光部材
を含むことを特徴とする請求項１に記載のディスプレイ装置。
【請求項３】
上記第１偏光部材及び前記第２偏光部材のうち、少なくとも１つの偏光部材は、上記外部を囲むために曲げられることをガイドするベンディング部を含む
ことを特徴とする請求項２に記載のディスプレイ装置。
【請求項４】
上記第１偏光部材は、
上記光源に垂直な面と上記光源に平行な面のうち、少なくとも１つの面が上記液晶パネルの外側方向に延長形成されて、上記液晶パネルの外部及び上記バックライトユニットの外部を囲む
ことを特徴とする請求項２に記載のディスプレイ装置。
【請求項５】
上記第２偏光部材は、
上記光源に垂直な面と上記光源に平行な面のうち、少なくとも１つの面が上記液晶パネルの外側方向に延長形成されて、上記バックライトユニットの外部を囲む
ことを特徴とする請求項２に記載のディスプレイ装置。
【請求項６】
上記偏光部は、
上記液晶パネルの上部に付着され、トリアセチルセルロース層を含む第１偏光部材、及び
上記液晶パネルの下部に付着される第２偏光部材
を含むことを特徴とする請求項１に記載のディスプレイ装置。
【請求項７】
上記トリアセチルセルロース層は、
上記外部を囲むために曲げられることをガイドするベンディング部を含む
ことを特徴とする請求項６に記載のディスプレイ装置。
【請求項８】
上記トリアセチルセルロース層は、
上記光源に垂直な面と上記光源に平行な面のうち、少なくとも１つの面が上記液晶パネルの外側方向に延長形成されて上記液晶パネルの外部と上記バックライトユニットの外部を囲む
ことを特徴とする請求項６に記載のディスプレイ装置。
【請求項９】
上記偏光部は、
上記液晶パネルの上部に付着される第１偏光部材、及び
上記液晶パネルの下部に付着され、トリアセチルセルロース層を含む第２偏光部材
を含むことを特徴とする請求項１に記載のディスプレイ装置。
【請求項１０】
上記トリアセチルセルロース層は、
上記外部を囲むために曲げられることをガイドするベンディング部を含む
ことを特徴とする請求項９に記載のディスプレイ装置。
【請求項１１】
上記トリアセチルセルロース層は、
上記光源に垂直な面と上記光源に平行な面のうち、少なくとも１つの面が上記液晶パネルの外側方向に延長形成されて上記バックライトユニットの外部を囲む
ことを特徴とする請求項９に記載のディスプレイ装置。
【請求項１２】
上記バックライトユニットは、
上記光源から発生する光を上記液晶パネル方向に提供する導光板、
上記導光板から提供される上記光を拡散及び集光する複数の光学シート、
内部に収納部が形成され、上記液晶パネルを支持する複数の支持部を含む収納部材、及び
上記導光板と上記収納部材の間に位置し、上記導光板から漏れる光を上記液晶パネル方向に反射する反射シート
を含むことを特徴とする請求項１に記載のディスプレイ装置。
【請求項１３】
上記バックライトユニットは、
上記光源から発生する光を上記液晶パネル方向に提供する導光板、
上記導光板から提供される上記光を拡散及び集光する複数の光学シート、
内部に上記光源が配置され、上記液晶パネルを支持する支持部を含む光源収容部材、
内部に収納部が形成され、上記液晶パネルを支持する複数の支持部材を含む液晶パネル支持部、及び
上記導光板から漏れる光を上記液晶パネル方向に反射する反射シート
を含むことを特徴とする請求項１に記載のディスプレイ装置。
【請求項１４】
上記液晶パネル支持部は、
上記液晶パネル支持部の外周面を囲むように形成され、上記液晶パネルを支持する第１支持部材、及び
上記導光板の反入光部と対向するように形成される第２支持部材
を含み、
上記第２支持部材は、上記導光板と上記複数の光学シート及び上記反射シートが収納される複数の段差部を含む
ことを特徴とする請求項１３に記載のディスプレイ装置。
【請求項１５】
上記ディスプレイ装置は、
上記外部を囲む上記偏光部に結合され、上記光源の光の漏れを遮断する光漏れ防止部材をさらに含む
ことを特徴とする請求項１に記載のディスプレイ装置。
【請求項１６】
上記光漏れ防止部材は、
上記偏光部の一面または他面のうち、少なくとも１つの面に結合される
ことを特徴とする請求項１５に記載のディスプレイ装置。
【請求項１７】
上記光漏れ防止部材は、
遮光テープ、光吸収部材、ブラックプリント部材及びブラック染料のうち、少なくとも１つの材質からなる
ことを特徴とする請求項１５に記載のディスプレイ装置。
【請求項１８】
液晶パネル、
上記液晶パネルに光を提供する光源を含むバックライトユニット、及び
上記液晶パネルに付着される偏光部
を含んで構成されるディスプレイ装置の製造方法であって、
上記偏光部として、上記液晶パネルの外側方向に延長形成された偏光板を使用し、上記液晶パネルの外部と上記バックライトユニットの外部のうち、少なくとも１つの外部を上記偏光板で囲む工程を備える
ことを特徴とするディスプレイ装置の製造方法。
【発明の詳細な説明】
【技術分野】
【０００１】
本願発明はディスプレイ装置およびディスプレイ装置の製造方法に関するものである。
【背景技術】
【０００２】
一般的に従来発明による液晶表示装置は、液晶パネルと上記液晶パネルの下部に結合されるバックライトユニット及び上記液晶パネルの上部に結合されるトップケースで構成される。
【０００３】
より具体的に、図１は、従来発明による液晶表示装置の断面図を示したものであって、従来発明によるバックライトユニット（２０）は、光源（図示せず）、導光板（２１）、複数の光学シート（２２）、カバーボトム（２３）、反射シート（２４）、及びサポートメイン（２５）を含む。
【０００４】
上記導光板（２１）は、上記光源の光を液晶パネル（１０）方向に出射させるためのものである。
【０００５】
また、上記複数の光学シート（２２）は、上記導光板（２１）から出射される光を集光及び拡散させるためのものである。
【０００６】
そして、反射シート（２４）は、導光板（２１）から漏れた光を液晶パネル（１０）方向に反射させるためのものである。
【０００７】
そして、カバーボトム（２３）は、光源と導光板（２１）と複数の光学シート（２２）及び反射シート（２４）を内部に収容するためのものである。
【０００８】
また、サポートメイン（２５）は、カバーボトム（２３）の内側に結合され、液晶パネル（１０）を支持するためのものである。
【０００９】
そして、トップケース（３０）は、液晶パネル（１０）の上部の縁部及びカバーボトム（２３）の外周面に結合される。
【発明の概要】
【発明が解決しようとする課題】
【００１０】
このために、従来発明による液晶表示装置は、上記サポートメイン（２５）及びトップケース（３０）を含む構造によって、ベゼル領域が増加する問題がある。
【００１１】
特に、上記トップケース（３０）のような構成要素によってディスプレイ装置の縁部領域であるベゼルの幅（Ｗ）が増加するため、ナローベゼル（狭額縁）を具現することに問題がある。
【００１２】
また、上記バックライトユニット（２０）の全体的な厚さが厚くなることによって、上記液晶表示装置の軽量化及び薄型化に問題がある。
【００１３】
本願発明は、上記のような従来技術の問題を解決するために案出されたものであって、本願発明は、液晶パネルとバックライトユニットが一体化されたディスプレイ装置およびディスプレイ装置の製造方法を提供することを技術的課題とする。
【課題を解決するための手段】
【００１４】
上述した技術的課題を達成するための本願発明の実施例によるディスプレイ装置は、液晶パネルと上記液晶パネルに光を提供する光源を含むバックライトユニット及び上記液晶パネルに付着される偏光部を含み、上記偏光部は、上記液晶パネルの外側方向に延長形成されて上記液晶パネルの外部と上記バックライトユニットの外部のうち、少なくとも１つの外部を囲むことを特徴とする。
【発明の効果】
【００１５】
本願発明の実施例によって、ディスプレイ装置の厚さを最大限に減少させ、スリムなデザインに設計可能になると同時に、ゼロベゼルも具現できる効果がある。
【００１６】
また、本願発明は、偏光部を用いて液晶パネルとバックライトユニットを一体化させることによって、上記ディスプレイ装置の軽量化を具現できる効果がある。
【００１７】
そして、偏光部を用いて液晶パネルとバックライトユニットを完璧に密着させることによって、ディスプレイ装置の薄型化及び結合力を向上させることができる効果がある。
【図面の簡単な説明】
【００１８】
【図１】従来発明による液晶表示装置の断面図である。
【図２】本願発明によるディスプレイ装置の結合斜視図である。
【図３ａ】本願発明によるディスプレイ装置の第１実施例に対するＩ−Ｉ’方向の断面図である。
【図３ｂ】本願発明によるディスプレイ装置の第１実施例に対するＩ−Ｉ’方向の断面図である。
【図３ｃ】本願発明によるディスプレイ装置の第１実施例に対するＩ−Ｉ’方向の断面図である。
【図４ａ】本願発明のディスプレイ装置を構成する偏光部材の斜視図である。
【図４ｂ】本願発明のディスプレイ装置を構成する偏光部材の斜視図である。
【図５ａ】図４ａに図示された偏光部材を製造する製造方法に関する断面図である。
【図５ｂ】図４ａに図示された偏光部材を製造する製造方法に関する断面図である。
【図５ｃ】図４ａに図示された偏光部材を製造する製造方法に関する断面図である。
【図６】本願発明によるディスプレイ装置を構成するバックライトユニットに対するＩＩ−ＩＩ’方向の断面図である。
【図７】本願発明によるディスプレイ装置を構成するバックライトユニットの他の実施例に対するＩＩ−ＩＩ’方向の断面図である。
【図８ａ】本願発明によるディスプレイ装置の第２実施例に対するＩ−Ｉ’方向の断面図である。
【図８ｂ】本願発明によるディスプレイ装置の第２実施例に対するＩ−Ｉ’方向の断面図である。
【図９ａ】本願発明によるディスプレイ装置の第３実施例に対するＩ−Ｉ’方向の断面図である。
【図９ｂ】本願発明によるディスプレイ装置の第３実施例に対するＩ−Ｉ’方向の断面図である。
【図１０ａ】本願発明によるディスプレイ装置の第４実施例に対するＩ−Ｉ’方向の断面図である。
【図１０ｂ】本願発明によるディスプレイ装置の第４実施例に対するＩ−Ｉ’方向の断面図である。
【発明を実施するための形態】
【００１９】
本発明の目的、特定の長所及び新規の特徴は、添付の図面と関連する以下の詳細な説明と好ましい実施例から、より明白になるものである。本明細書における各図面の構成要素に参照番号を付加するにおいて、同一の構成要素に限っては、たとえ異なる図面上に表示されてもできるだけ同一の番号を有するようにしている。また、第１、第２等の用語は、多様な構成要素を説明するにおいて用いられているが、上記構成要素は、上記用語によって限定されるべきではない。上記用語は、１つの構成要素を他の構成要素から区別する目的のみで用いられる。また、本発明を説明するにおいて、関連した公知技術に関する具体的な説明が、本発明の要旨を不明瞭にする恐れがあると判断される場合には、その詳細な説明を省略する。
【００２０】
以下において、添付した図面を参照して本発明の好ましい実施例を詳細に説明する。
図２は、本願発明によるディスプレイ装置の結合斜視図であり、図３ａ〜図３ｃは、本願発明によるディスプレイ装置の第１実施例に対するＩ−Ｉ’方向（図２参照）の断面図である。図示されたように、上記ディスプレイ装置は、液晶パネル（１００）と上記液晶パネル（１００）に光を提供するための光源（図示せず）を含むバックライトユニット（１１０ａ）及び上記液晶パネル（１００）の外部と上記バックライトユニット（１１０ａ）の外部のうち、少なくとも１つの外部を囲む偏光部（１２０）を含む。
【００２１】
上記液晶パネル（１００）は、図３ａ〜図３ｃに図示されたようにアレイ基板（１０１）とカラー基板（１０２）及び上記アレイ基板（１０１）と上記カラー基板（１０２）の間に配置される液晶層（図示せず）から構成される。
【００２２】
そして、上記液晶パネル（１００）の外部には、外部の衝撃によるパネルの破損及び光の漏れを防止するためのサイドシーリング部を形成することができる。
また、上記液晶パネル（１００）は、上記光源から提供される光が上記液晶層を通過することによって映像を出力するようになる。
【００２３】
そして、上記光源が位置する方向には、上記液晶パネル（１００）に上記外部電源とゲート及びデータ信号を供給するための電源データ供給部材（１６０）を連結することができる。
また、上記電源データ供給部材（１６０）は、軟性材質の回路基板、及び一端が上記回路基板と連結され、他端が上記液晶パネル（１００）と連結されるＣＯＦ（ｃｈｉｐ  ｏｎ  ｆｉｌｍ）からなることができる。
【００２４】
そして、上記ＣＯＦは、高分子物質であるポリマイドに銅箔を積んだ後、回路を形成して基板を構成するものであって、上記基板上に上記液晶パネルの動作のためのソース信号とゲート信号を生成する回路である駆動回路をボンディングして実装することができる。
【００２５】
図２に図示されたように、上記偏光部（１２０）は、上記液晶パネル（１００）の外側方向に延長形成されて、上記ディスプレイ装置の外部を囲むようになる。
即ち、上記偏光部（１２０）は、上記ディスプレイ装置に結合される位置に応じて、上記液晶パネル（１００）の外部と上記バックライトユニット（１１０ａ）の外部のうち、少なくとも１つの外部を囲むようになる。
【００２６】
より具体的には、図３ａ〜図３ｃに図示されたように、上記液晶パネル（１００）の外部と上記バックライトユニット（１１０ａ）の外部のうち、少なくとも１つの外部を囲むために、上記偏光部（１２０）は、第１偏光部材（１２０ａ）と第２偏光部材（１２０ｂ）を含む。
【００２７】
また、上記第１偏光部材（１２０ａ）及び第２偏光部材（１２０ｂ）のうち、少なくとも１つの偏光部材の一面には、ベンディング部が形成される。
即ち、具体的に後述する上記ベンディング部は、上記第１偏光部材（１２０ａ）または第２偏光部材（１２０ｂ）が上記液晶パネル（１００）の外部または上記バックライトユニット（１１０ａ）の外部方向に曲げられることをガイドするためのものである。
【００２８】
図４ａ及び図４ｂは、本願発明のディスプレイ装置を構成する偏光部材の斜視図である。図示されたように、上記偏光部（１２０）を構成する上記第１偏光部材（１２０ａ）を例として説明すると、上記第１偏光部材（１２０ａ）の一面（１２１ａ）には、ベンディング部（１２２ａ、１２２ｂ）が互いに一定間隔で離隔されて複数に形成される。
【００２９】
より具体的には、上記ベンディング部（１２２ａ、１２２ｂ）は、上記液晶パネル（１００）の外部及び上記バックライトユニット（１１０ａ）の外部を囲むために延長形成された上記第１偏光部材（１２０ａ）の延長部（ＥＡ）に形成される。
【００３０】
即ち、上記ベンディング部（１２２ａ、１２２ｂ）は、上記液晶パネル（１００）の外部及び上記バックライトユニット（１１０ａ）の外部を囲むために、上記第１偏光部材（１２０ａ）が容易に曲げられるように、ガイドするためのものであるだ。
【００３１】
図３ａに図示されたように、上記第１偏光部材（１２０ａ）は、上記液晶パネル（１００）の上部に結合される。
これにより、図４ａに図示されたように、上記第１偏光部材（１２０ａ）は、上記ベンディング部（１２２ａ）を用いて上記液晶パネル（１００）の上部終端で１次に曲げられる。
【００３２】
以後、上記第１偏光部材（１２０ａ）は、上記バックライトユニット（１１０ａ）外部、即ち、側面を囲んだ後に背面を囲むために上記ベンディング部（１２２ｂ）を用いて２次に曲げられる。
これにより、上記第１偏光部材（１２０ａ）は、上記液晶パネル（１００）の外部及び上記バックライトユニット（１１０ａ）の外部を囲むようになる。
ただし、上記第１偏光部材（１２０ａ）の一面に形成される上記ベンディング部（１２２ａ、１２２ｂ）の数は、本願発明において限定されない。
【００３３】
図４ａにおいては、座標軸を基準にＹ方向と水平な方向に上記ベンディング部（１２２ａ、１２２ｂ）を形成しているが、Ｘ方向にもベンディング部を形成し、上記第１偏光部材（１２０ａ）の一面（１２１ａ）の全ての方向にベンディング部を形成することができる。
そして、図４ａに図示されたように、上記ベンディング部（１２２ａ、１２２ｂ）は、線形形状を有するように形成されることができる。
また、図４ｂに図示されたように、上記ベンディング部（１２２ａ、１２２ｂ）は、不連続的な形状を有するように形成することができる。
【００３４】
図５ａ〜図５ｃは、図４ａに図示された偏光部材を製造する製造方法に関する断面図である。図示されたように、上記ベンディング部（１２２ａ、１２２ｂ）は、多様な製造方法によって上記第１偏光部材（１２０ａ）に形成することができる。
【００３５】
図５ａに図示されたように、プレス製造方法を用いて上記第１偏光部材（１２０ａ）の一面（１２１ａ）に上記ベンディング部（１２２ａ、１２２ｂ）を形成することができる。
まず、ベンディング部を形成する上記第１偏光部材（１２０ａ）の一面（１２１ａ）に、後述する光漏れ防止部材（１４０）を結合する。
【００３６】
以後、上記ベンディング部（１２２ａ、１２２ｂ）と同一形状の陰極パターン（Ｓ１）を含むステージ（Ｓ）上部に上記第１偏光部材（１２０ａ）を載置させた後、プレス装置（Ｐ）を加圧する。
これにより、上記ベンディング部（１２２ａ、１２２ｂ）は、上記第１偏光部材（１２０ａ）の一面（１２１ａ）、より具体的には上記光漏れ防止部材（１４０）が結合された領域に形成される。
【００３７】
図５ｂに図示されたように、真空成形製造方法を用いて上記第１偏光部材（１２０ａ）の一面（１２１ａ）に上記ベンディング部（１２２ａ、１２２ｂ）を形成することができる。
まず、上記第１偏光部材（１２０ａ）を一定の温度状態で一定時間延伸させる。
【００３８】
次に、ベンディング部を形成する上記第１偏光部材（１２０ａ）の一面（１２１ａ）に、後述する光漏れ防止部材（１４０）を結合する。
次に、上記ベンディング部（１２２ａ、１２２ｂ）と同一形状の陰極パターン（Ｖ１）を備え、上記陰極パターン（Ｖ１）として多数のホール（ｈ）が形成された真空吸着ステージ（Ｖ）上部に、上記第１偏光部材（１２０ａ）を載置させる。
【００３９】
次に、上記ホール（ｈ）を通じて上記真空吸着ステージ（Ｖ）方向に上記第１偏光部材（１２０ａ）を吸着させる。
これにより、上記ベンディング部（１２２ａ、１２２ｂ）が上記第１偏光部材（１２０ａ）の一面（１２１ａ）に形成される。
そして、図５ｃに図示されたように、レーザ照射方法を用いて、上記第１偏光部材（１２０ａ）に上記ベンディング部（１２２ａ、１２２ｂ）を形成することができる。
【００４０】
上記レーザ照射方法によって形成される上記ベンディング部（１２２ａ、１２２ｂ）は、上述したプレス製造方法と真空成形製造方法によって形成されるベンディング部の形状とは異なる溝形状を有するようになる。
【００４１】
まず、上記第１偏光部材（１２０ａ）の上部に互いに一定間隔で離隔された複数のレーザ照射部（Ｒ）を位置させる。
次に、上記第１偏光部材（１２０ａ）にレーザを照射することで、上記第１偏光部材（１２０ａ）に溝形状の上記ベンディング部（１２２ａ、１２２ｂ）が形成される。
次に、上記第１偏光部材（１２０ａ）の一面（１２１ａ）に後述する光漏れ防止部材（１４０）を結合する。
【００４２】
これにより、図５ａ〜図５ｃに基づいて、多様な実施例で説明されたベンディング部製造方法を用いて、上記第１偏光部材（１２０ａ）または上記第２偏光部材（１２０ｂ）を容易に曲げられるようにガイドするベンディング部を、上記第１偏光部材（１２０ａ）または上記第２偏光部材（１２０ｂ）の一面に形成することができる。
【００４３】
本願発明によるディスプレイ装置のＩ−Ｉ’方向に対する第１実施例断面図を示す図３ａ〜図３ｃに図示されたように、上記偏光部（１２０）は、第１偏光部材（１２０ａ）及び第２偏光部材（１２０ｂ）を含む。
【００４４】
より具体的には、上記第１偏光部材（１２０ａ）は、上記液晶パネル（１００）の上部に付着され、上記第２偏光部材（１２０ｂ）は、上記液晶パネル（１００）の下部に付着される。
【００４５】
これにより、上記第２偏光部材（１２０ｂ）は、上記バックライトユニット（１１０ａ）を通過する光を偏光させて、上記液晶パネル（１００）に入射させる。
また、外部の使用者が映像を視聴できるように、上記第１偏光部材（１２０ａ）は、上記液晶パネル（１００）を通過した光を偏光させる。
【００４６】
図３ａに図示されたように、上記第１偏光部材（１２０ａ）は、上記液晶パネル（１００）の外側方向に延長形成される。
より具体的には、図２に基づいて上記電源データ供給部材（１６０）が連結された方向（Ｘ軸方向）に位置する上記光源と垂直な方向にある上記第１偏光部材（１２０ａ）の側面が、Ｘ軸方向に延長形成される。
【００４７】
即ち、図３ａ〜図３ｃに図示されたように、上記第１偏光部材（１２０ａ）は、上記液晶パネル（１００）の外部及び上記バックライトユニット（１１０ａ）の外部を全て囲むようになる。
【００４８】
これにより、従来のディスプレイ装置を構成するトップケース及びガイドパネルのような構造物を不要とし、上記偏光部（１２０）を構成する上記第１偏光部材（１２０ａ）を用いて上記液晶パネル（１００）と上記バックライトユニット（１１０ａ）を一体化させることによって、上記ディスプレイ装置の軽量化を具現できる効果がある。
【００４９】
そして、上記液晶パネル（１００）と上記バックライトユニット（１１０ａ）を上記第１偏光部材（１２０ａ）を用いて完璧に密着させることによって、ディスプレイ装置の薄型化及び結合力を向上させることができる効果がある。
【００５０】
また、図３ａ〜図３ｃに図示された上記第１偏光部材（１２０ａ）は、上記光源と垂直な側面のみがＸ軸方向に延長形成されたが、上記光源と平行な方向にある上記第１偏光部材（１２０ａ）の側面も、Ｙ軸方向に延長形成することができる。
【００５１】
これにより、図２に図示されたように、上記電源データ供給部材（１６０）を除いた上記ディスプレイ装置の一部領域であるＣＡ領域、及びこれと反対方向の領域（ＤＡ）を、上記第１偏光部材（１２０ａ）が囲むことができる。
【００５２】
即ち、上記第１偏光部材（１２０ａ）は、上記光源と平行な面も延長形成されることによって、図２に図示されたように、上記ディスプレイ装置のＣＡ領域とその反対側領域（ＤＡ）まで囲むようになるため、上記液晶パネル（１００）と上記バックライトユニット（１１０ａ）の結合力を向上させることができる効果がある。
【００５３】
図３ｂ及び図３ｃに図示されたように、上記偏光部（１２０）には、上記光源の光の漏れを遮断する光漏れ防止部材（１４０）を結合することができる。
より具体的には、上記光漏れ防止部材（１４０）は、上記液晶パネル（１００）の外部及び上記バックライトユニット（１１０ａ）の外部を囲む上記偏光部（１２０）の一面または他面のうち、少なくとも１つの面に結合することができる。
【００５４】
即ち、図３ｂ及び図３ｃに図示されたように、上記光漏れ防止部材（１４０）は、上記液晶パネル（１００）の外部及び上記バックライトユニット（１１０ａ）の外部を囲む上記第１偏光部材（１２０ａ）の外側面に結合される。
【００５５】
また、上記光漏れ防止部材（１４０）は、上記第１偏光部材（１２０ａ）の内側面に結合することができる。
これにより、上記光源の光が上記ディスプレイ装置の外部に漏れることを遮断する。
【００５６】
また、上記光漏れ防止部材（１４０）は、上記光源の光が上記ディスプレイ装置の外部に漏れることを遮断するために、遮光テープ、プリント印刷方式を通じて形成することができるブラックプリント部材、光吸収部材、またはインクジェット方式を通じて形成することができるブラック染料のうち、少なくとも１つの材質からなることができる。
【００５７】
そして、上記光漏れ防止部材（１４０）が上記第１偏光部材（１２０ａ）の内側面に結合される場合、上記第１偏光部材（１２０ａ）の外側面には、黒色ではなく他の色を有する部材を結合することができる。
【００５８】
例えば、上記第１偏光部材（１２０ａ）の内側面に上記光漏れ防止部材（１４０）が結合される場合、上記第１偏光部材（１２０ａ）の外側面には、蛍光色を有する部材が結合され、使用者に美麗なデザインを提供する効果がある。
【００５９】
図６は、本願発明によるディスプレイ装置を構成するバックライトユニットに対するＩＩ−ＩＩ’方向（図２参照）の断面図である。図示されたように上記ディスプレイ装置を構成する上記バックライトユニット（１１０ａ）は、導光板（１１３ａ）、複数の光学シート（１１５ａ）、収納部材（１１７ａ）及び反射シート（１１９ａ）を含む。
【００６０】
上記導光板（１１３ａ）は、光源（１１１）から入射される光を面光源形態に変換して、上記液晶パネル（１００）に提供するためのものである。
また、上記複数の光学シート（１１５ａ）は、上記導光板（１１３ａ）から出射された上記光を拡散及び集光するためのものである。
より具体的には、上記複数の光学シート（１１５ａ）は、少なくとも１つの拡散シートと上記拡散シートの上部に配置される少なくとも１つの集光シートからなることができる。
【００６１】
上記拡散シートは、上記導光板（１１３ａ）を通じて上記液晶パネル（１００）方向に入射された光を拡散させると同時に、上記拡散された光が上記集光シート方向に進行するように、上記拡散された光の方向を調節することもできる。
また、上記集光シートは、上記拡散シートを通じて入射される光を上記液晶パネル（１００）に垂直な方向に集光させる。
【００６２】
そして、上記収納部材（１１７ａ）は、上記導光板（１１３ａ）及び上記複数の光学シート（１１５ａ）を収容するために、内部に収納部が形成される。
また、上記収納部材（１１７ａ）は、上記液晶パネル（１００）を支持するための複数の支持部（１１８ａ）を含む。
【００６３】
そして、上記支持部（１１８ａ）の上部には、上記液晶パネル（１００）と上記バックライトユニット（１１０ａ）を互いに固定結合するために両面が接着材質からなり弾性力を有するフォームパッド形状の結合部材（１１６ａ）が配置される。
【００６４】
また、上記収納部材（１１７ａ）は、図３ｃに図示されたように、上記液晶パネル（１００）方向に突出形成され、上記導光板（１１３ａ）、上記複数の光学シート（１１５ａ）及び上記反射シート（１１９ａ）を外部の衝撃から保護するための側面補強部材（Ｓ）をさらに含むことができる。
【００６５】
そして、上記反射シート（１１９ａ）は、上記導光板（１１３ａ）と上記収納部材（１１７ａ）の間に位置し、上記導光板（１１３ａ）から漏れる光を上記液晶パネル（１００）方向に反射させるためのものである。
【００６６】
総合すると、図２、図３ａ〜図３ｃ及び図４ａ、図４ｂに基づいて上述したように、上記光源（１１１）と垂直な方向の上記第１偏光部材（１２０ａ）の側面が延長形成されて、上記液晶パネル（１００）の外部及び上記バックライトユニット（１１０ａ）の外部を囲むようになる。
【００６７】
そして、これだけでなく、上記光源（１１１）と平行な方向の上記第１偏光部材（１２０ａ）の側面もまた、上記液晶パネル（１００）の外側方向に延長形成されることによって、図２及び図６に図示されたように、上記第１偏光部材（１２０ａ）は、上記ディスプレイ装置のＣＡ領域とその反対側領域（ＤＡ）まで囲むようになる。
【００６８】
これにより、上記第１偏光部材（１２０ａ）を用いて上記ディスプレイ装置の全ての外部を囲むことができる。
より具体的には、図６に図示されたように、上記第１偏光部材（１２０ａ）は、上記光源（１１１）が配置された方向（図２のＣＡ領域）の上記収納部材（１１７ａ）の外部を囲むことができる。
【００６９】
また、上記第１偏光部材（１２０ａ）は、カメラのレンズ部を外部に露出させるための貫通孔（ｈ）が形成された方向（図２のＤＡ領域）の上記収納部材（１１７ａ）の外部を囲むことができる。
【００７０】
これにより、上記第１偏光部材（１２０ａ）が上記液晶パネル（１００）の外部及び上記バックライトユニット（１１０ａ）を構成する上記収納部材（１１７ａ）の外部を一緒に囲むことができるため、上記液晶パネル（１００）と上記バックライトユニット（１１０ａ）の結合力が向上する効果がある。
【００７１】
図７は、本願発明によるディスプレイ装置を構成するバックライトユニットの他の実施例に対するＩＩ−ＩＩ’方向（図２参照）の断面図である。図示されたように、上記ディスプレイ装置を構成するバックライトユニット（１１０ｂ）は、導光板（１１２ｂ）、複数の光学シート（１１３ｂ）、光源収容部材（１１４ｂ）、支持部（１１５ｂ）及び反射シート（１１６ｂ）を含む。
【００７２】
上記導光板（１１２ｂ）は、上記光源（１１１）から入射される光を面光源形態に変換して、上記液晶パネル（１００）に提供するためのものである。
また、上記複数の光学シート（１１３ｂ）は、上記導光板（１１２ｂ）から出射された上記光を拡散及び集光するためのものである。
より具体的には、上記複数の光学シート（１１３ｂ）は、少なくとも１つの拡散シートと少なくとも１つの集光シートからなることができる。
【００７３】
上記拡散シートは、上記導光板（１１２ｂ）を通じて上記液晶パネル（１００）方向に入射された光を分散させながら上記集光シート方向に光が進むように光の方向を調節する。
また、上記集光シートは、上記拡散シートを通じて入射される光を上記液晶パネル（１００）に垂直な方向に集光させる。
【００７４】
そして、図７に図示されたように、上記光源収容部材（１１４ｂ）は、上記導光板（１１２ｂ）を収容するために内部に収納空間が形成され、上記光源収容部材（１１４ｂ）の断面は、「逆コの字」形状になされる。
【００７５】
また、上記光源収容部材（１１４ｂ）は、上記光源（１１１）と向かい合う上記導光板（１１２ｂ）の入光部の一部分を覆うと同時に、上記液晶パネル（１００）を支持するための支持部（１１５ｂ）を含む。
【００７６】
そして、上記反射シート（１１６ｂ）は、上記導光板（１１２ｂ）から漏れる光を上記液晶パネル（１００）方向に反射させるためのものである。
また、上記液晶パネル支持部（１１７ｂ）は、上記導光板（１１２ｂ）、複数の光学シート（１１３ｂ）、上記光源（１１１）が内部に結合された上記光源収容部材（１１４ｂ）及び上記反射シート（１１６ｂ）を収容するために、内部に収納空間が形成される。
【００７７】
そして、上記液晶パネル支持部（１１７ｂ）は、上記液晶パネル（１００）を支持するための複数の支持部材（１１８ｂ）を含む。
より具体的には、上記液晶パネル支持部（１１７ｂ）は、第１支持部材（１１８ｂ）及び第２支持部材（１１８ｂ）を含む。
【００７８】
上記第１支持部材（１１８ｂ）は、断面が「逆コの字」形状である上記光源収容部材（１１４ｂ）の外周面を囲むように上記液晶パネル支持部（１１７ｂ）から上記液晶パネル（１００）の方向に突出形成される。
【００７９】
また、上記第２支持部材（１１８ｂ）は、上記導光板（１１２ｂ）の反入光部と対向するように、上記液晶パネル支持部（１１７ｂ）から上記液晶パネル（１００）の方向に突出形成される。
【００８０】
そして、上記第２支持部材（１１８ｂ）は、上記反射シート（１１６ｂ）、上記導光板（１１２ｂ）及び上記複数の光学シート（１１３ｂ）が上記液晶パネル支持部（１１７ｂ）の内部に順次積層されるように複数の段差部を具備する。
【００８１】
これにより、図７に図示されたように、上記第１支持部材（１１８ｂ）及び上記第２支持部材（１１８ｂ）と、上記光源収容部材（１１４ｂ）は、同時に上記液晶パネル（１００）を支持することができる。
【００８２】
また、上記液晶パネル（１００）と向かい合う上記第１支持部材（１１８ｂ）及び上記第２支持部材（１１８ｂ）と上記支持部（１１５ｂ）の上部には、両面が接着材質からなり弾性力を有するフォームパッド形状の結合部材（１１９ｂ）が配置されて、上記液晶パネル（１００）と上記バックライトユニット（１１０ｂ）を固定結合させることができる。
【００８３】
そして、上記液晶パネル支持部（１１７ｂ）は、上記液晶パネル（１００）方向に突出形成されて、上記導光板（１１２ｂ）、複数の光学シート（１１３ｂ）、上記光源収容部材（１１４ｂ）及び上記反射シート（１１６ｂ）を外部の衝撃から保護するための側面補強部材（図示せず）をさらに含むことができる。
【００８４】
図２、図３ａ及び図４ａに基づいて上述したように、上記光源（１１１）と垂直な上記第１偏光部材（１２０ａ）の両側の面だけでなく、上記光源（１１１）と平行な上記第１偏光部材（１２０ａ）の両側の面を、上記液晶パネル（１００）の外側方向に延長形成することができる。
【００８５】
これにより、図２及び図７に図示されたように、上記第１偏光部材（１２０ａ）は、上記ディスプレイ装置のＣＡ領域とその反対側領域（ＤＡ）まで囲むようになって、上記ディスプレイ装置の全ての面を囲むことができる。
【００８６】
即ち、図７に図示されたように、上記第１偏光部材（１２０ａ）は、上記光源（１１１）が配置された方向（図２のＣＡ領域）の上記液晶パネル支持部（１１７ｂ）を構成する上記第１支持部材（１１８ｂ）の外部を囲むことができる。
【００８７】
また、上記第１偏光部材（１２０ａ）は、カメラのレンズ部を外部に露出させるための貫通孔（ｈ）が形成された方向（図２のＤＡ領域）の上記液晶パネル支持部（１１７ｂ）を構成する第２支持部材（１１８ｂ）の外部を囲むことができる。
【００８８】
これにより、上記第１偏光部材（１２０ａ）が上記液晶パネル（１００）の外部及び上記バックライトユニット（１１０ｂ）を構成する上記液晶パネル支持部（１１７ｂ）の外部を一緒に囲むことができ、上記液晶パネル（１００）と上記バックライトユニット（１１０ｂ）の結合力が向上する効果がある。
【００８９】
図８ａ〜図８ｂは、本願発明によるディスプレイ装置の第２実施例に対するＩ−Ｉ’方向（図２参照）の断面図である。本第２実施例を説明するにおいて、以前の第１実施例と同一または対応する構成要素に関する説明は、省略する。以下では、本第２実施例によるディスプレイ装置について説明する。
【００９０】
本願発明の第２実施例によるディスプレイ装置は、液晶パネル（１００）と上記液晶パネル（１００）に光を提供する光源を含むバックライトユニット（１１０ａ）及び偏光部（２２０）を含む。
【００９１】
そして、上記ディスプレイ装置を構成する上記偏光部（２２０）は、第１偏光部材（２２０ａ）及び第２偏光部材（２２０ｂ）を含む。
より具体的には、上記第１偏光部材（２２０ａ）は、上記液晶パネル（１００）の上部に付着され、上記第２偏光部材（２２０ｂ）は、上記液晶パネル（１００）の下部に付着される。
【００９２】
また、図８ａに図示されたように、上記第２偏光部材（２２０ｂ）は、上記液晶パネル（１００）の外側方向に延長形成される。
即ち、図２及び図８ａに基づいて上記電源データ供給部材（１６０）が連結された方向（Ｘ軸方向）に位置する上記光源と垂直な方向にある上記第２偏光部材（２２０ｂ）の側面が、Ｘ軸方向に延長形成される。
【００９３】
そして、図４ａ及び図４ｂに基づいて上述した上記第１偏光部材（１２０ａ）と同じく、上記第２偏光部材（２２０ｂ）の一面には、上記バックライトユニット（１１０ａ）の外部を囲むために曲げられることをガイドするためのベンディング部が形成される。
これにより、図８ｂに図示されたように、上記第２偏光部材（２２０ｂ）は、上記バックライトユニット（１１０ａ）の外部を囲むようになる。
【００９４】
このように、従来のディスプレイ装置を構成するトップケース及びガイドパネルのような構造物を不要とし、上記偏光部（２２０）を構成する上記第２偏光部材（２２０ａ）を用いて上記液晶パネル（１００）と上記バックライトユニット（１１０ａ）を一体化させることによって、上記ディスプレイ装置の軽量化を具現できる効果がある。
【００９５】
そして、図８ａ及び図８ｂに図示された上記第２偏光部材（２２０ｂ）は、上記光源と垂直な側面がＸ軸方向に延長形成されたが、さらに、上記光源と平行な側面もＹ軸方向に延長形成することができる。
【００９６】
これにより、図２に図示されたように、上記電源データ供給部材（１６０）を除いた上記ディスプレイ装置の外部一部領域であるＣＡ領域及びこれと反対方向の外部領域（ＤＡ）を、上記第２偏光部材（２２０ａ）によって囲むことができる。
【００９７】
即ち、上記第２偏光部材（２２０ａ）は、上記光源と平行な面がさらに延長形成されることによって、図２に図示されたように、上記ディスプレイ装置のＣＡ領域とその反対側領域（ＤＡ）まで囲むようになり、上記液晶パネル（１００）と上記バックライトユニット（１１０ａ）の結合力を向上させることができる効果がある。
【００９８】
図８ｂに図示されたように、上記偏光部（２２０）には、上記光源の光の漏れを遮断する光漏れ防止部材（１４０）を結合することができる。
より具体的には、上記光漏れ防止部材（１４０）は、上記バックライトユニット（１１０ａ）の外部を囲む上記偏光部（２２０）の一面または他面のうち、少なくとも１つの面に結合されることができる。
【００９９】
即ち、図８ｂに図示されたように、上記光漏れ防止部材（１４０）は、上記液晶パネル（１００）の外側方向に延長形成されて上記バックライトユニット（１１０ａ）の外部を囲む上記第２偏光部材（２２０ｂ）の外側面に結合される。
【０１００】
また、上記光漏れ防止部材（１４０）は、上記第２偏光部材（２２０ｂ）の内側面に結合することができる。
これにより、上記光源の光が上記ディスプレイ装置の外部に漏れることを遮断する。
【０１０１】
また、上記光漏れ防止部材（１４０）は、上記光源の光が上記ディスプレイ装置の外部に漏れることを遮断するために、遮光テープ、プリント印刷方式を通じて形成することができるブラックプリント部材、光吸収部材、またはインクジェット方式を通じて形成することができるブラック染料のうち、少なくとも１つの材質からなることができる。
【０１０２】
そして、上記光漏れ防止部材（１４０）が上記第２偏光部材（２２０ｂ）の内側面に結合される場合、上記第２偏光部材（２２０ｂ）の外側面には、黒色ではなくて他の色を有する部材を結合することができる。
【０１０３】
例えば、上記第２偏光部材（２２０ｂ）の内側面に上記光漏れ防止部材（１４０）が結合される場合、上記第２偏光部材（２２０ｂ）の外側面には蛍光色を有する部材が結合され、使用者に美麗なデザインを提供する効果がある。
【０１０４】
そして、図８ａ及び図８ｂに図示されたように、上記液晶パネル（１００）の側面には、外部の衝撃によるパネルの破損及び光の漏れを防止するためのサイドシーリング部を形成することができる。
【０１０５】
また、上記バックライトユニット（１１０ａ）の外部を囲む上記光漏れ防止部材（１４０）の外側面と上記液晶パネル（１００）の外部には、シーリング部材（１５０）を塗布することができる。
これにより、上記液晶パネル（１００）と上記バックライトユニット（１１０ａ）の結合力が向上する効果がある。
【０１０６】
図９ａ及び図９ｂは、本願発明によるディスプレイ装置の第３実施例に対するＩ−Ｉ’方向（図２参照）の断面図である。本第３実施例を説明するにおいて、以前の第１、第２実施例と同一または対応する構成要素に関する説明は、省略する。以下では、本第３実施例によるディスプレイ装置について説明する。
【０１０７】
本願発明の第３実施例によるディスプレイ装置は、液晶パネル（１００）と上記液晶パネル（１００）に光を提供する光源を含むバックライトユニット（１１０ａ）及び偏光部（３２０）を含む。
そして、上記ディスプレイ装置を構成する上記偏光部（３２０）は、第１偏光部材（３２０ａ）及び第２偏光部材（３２０ｂ）を含む。
【０１０８】
より具体的には、上記第１偏光部材（３２０ａ）は、上記液晶パネル（１００）の上部に付着され、上記第２偏光部材（３２０ｂ）は、上記液晶パネル（１００）の下部に付着される。
【０１０９】
また、図９ａの拡大図に図示されたように、上記第１偏光部材（３２０ａ）は、トリアセチルセルロース層（Ｔｒｉａｃｅｔｙｌ  Ｃｅｌｌｕｌｏｓｅ  ｌａｙｅｒ、以下「ＴＡＣ層」という）（３２１ａ）を含む。
【０１１０】
そして、上記第１偏光部材（３２０ａ）は、上記ＴＡＣ層（３２１ａ）の上部に積層されるＰＳＡ層（Ｐｒｅｓｓｕｒｅ  ｓｅｎｓｉｔｉｖｅ  ａｄｈｅｓｉｖｅ  ｌａｙｅｒ、３２２ａ）と上記ＰＳＡ層（３２２ａ）上部に積層される保護フィルム層（３２４ａ）を含む。
【０１１１】
また、上記第１偏光部材（３２０ａ）は、上記ＴＡＣ層（３２１ａ）の下部に積層されるＰＶＡ層（Ｐｏｌｙ  Ｖｉｎｙｌ  ａｌｃｏｈｏｌ  ｌａｙｅｒ、３２３ａ）と上記ＰＶＡ層（３２３ａ）下部に積層されるＴＡＣ層（３２５ａ）及び上記ＴＡＣ層（３２５ａ）下部に付着されるＰＳＡ層（３２７ａ）を含む。
【０１１２】
図９ａの拡大図に基づいて、上記第１偏光部材（３２０ａ）を構成する各層について詳察する。
上記ＴＡＣ層（３２１ａ）は、上記ＰＶＡ層（３２３ａ）を保護するための保護層であって、透明な材質からなることを特徴とする。
【０１１３】
そして、上記ＰＳＡ層（３２２ａ）は、光学用透明粘着層であって、上記ＴＡＣ層（３２１ａ）の上部に上記保護フィルム層（３２４ａ）を付着する機能を有する。
また、上記保護フィルム層（３２４ａ）は、外部衝撃、スクラッチ、異物などから上記第１偏光部材（３２０ａ）を保護するためのフィルムである。
【０１１４】
そして、上記ＰＶＡ層（３２３ａ）は、上記液晶パネル（１００）を通過する光を偏光させる機能を有する。
また、上記ＴＡＣ層（３２５ａ）は、上述した上記ＴＡＣ層（３２１ａ）と同一の材質及び機能を有する。
【０１１５】
さらに、上記ＰＳＡ層（３２７ａ）は、上述した上記ＰＳＡ層（３２２ａ）と同一の材質及び機能を有する。
そして、上述した図４ａに基づいて説明された上記第１偏光部材（１２０ａ）と同じく、上記第１偏光部材（３２０ａ）を構成する上記ＴＡＣ層（３２１ａ）の一面には、上記液晶パネル（１００）の外部及び上記バックライトユニット（１１０ａ）の外部を囲むために曲げられることをガイドするためのベンディング部を形成することができる。
【０１１６】
これにより、図９ｂに図示されたように、上記第１偏光部材（３２０ａ）を構成する上記ＴＡＣ層（３２１ａ）は、上記液晶パネル（１００）の外部及び上記バックライトユニット（１１０ａ）の外部を囲むようになる。
【０１１７】
図９ａに図示されたように、上記ＴＡＣ層（３２１ａ）は、上記液晶パネル（１００）の外側方向に延長形成される。
即ち、図２及び図３ａに基づいて、上記電源データ供給部材（１６０）が連結された方向に位置する上記光源と垂直な方向の上記ＴＡＣ層（３２１ａ）の側面が、Ｘ軸方向に延長形成される。
【０１１８】
これにより、図９ｂに図示されたように、上記第１偏光部材（２２０ａ）を構成する上記ＴＡＣ層（３２１ａ）は、上記液晶パネル（１００）の外部及び上記バックライトユニット（１１０ａ）の外部を全部囲むようになる。
【０１１９】
このように、従来のディスプレイ装置を構成するトップケース及びガイドパネルのような構造物を不要とし、上記ＴＡＣ層（３２１ａ）を用いて上記液晶パネル（１００）と上記バックライトユニット（１１０ａ）を一体化させることによって、上記ディスプレイ装置の軽量化を具現できる効果がある。
【０１２０】
そして、図９ａ及び図９ｂに図示された上記第１偏光部材（３２０ａ）を構成する上記ＴＡＣ層（３２１ａ）は、上記光源と垂直な側面がＸ軸方向に延長形成されたが、さらに、上記光源と平行な側面もＹ軸方向に延長形成することができる。
【０１２１】
これにより、図２に図示されたように、上記電源データ供給部材（１６０）を除いた上記ディスプレイ装置の外部一部領域であるＣＡ領域及びこれと反対方向の外部領域（ＤＡ）を上記第１偏光部材（３２０ａ）によって囲むことができる。
【０１２２】
即ち、上記第１偏光部材（３２０ａ）を構成する上記ＴＡＣ層（３２１ａ）は、上記光源と平行な面がさらに延長形成されることによって、図２に図示されたように、上記ディスプレイ装置のＣＡ領域とその反対側領域（ＤＡ）まで囲むようになり、上記液晶パネル（１００）と上記バックライトユニット（１１０ａ）の結合力を向上させることができる効果がある。
【０１２３】
図９ｂに図示されたように、上記偏光部（３２０）には、上記光源の光の漏れを遮断する光漏れ防止部材（１４０）を結合することができる。
より具体的には、本第３実施例によって上記光漏れ防止部材（１４０）は、上記第１偏光部材（３２０ａ）を構成する上記ＴＡＣ層（３２１ａ）の一面または他面のうち、少なくとも１つの面に結合されることができる。
【０１２４】
即ち、図示されたように、上記光漏れ防止部材（１４０）は、上記液晶パネル（１００）の外部及び上記バックライトユニット（１１０ａ）の外部を囲む上記ＴＡＣ層（３２１ａ）の外側面に結合される。
また、上記光漏れ防止部材（１４０）は、上記ＴＡＣ層（３２１ａ）の内側面に結合することができる。
【０１２５】
また、上記光漏れ防止部材（１４０）は、上記光源の光が上記ディスプレイ装置の外部に漏れることを遮断するために、遮光テープ、プリント印刷方式を通じて形成することができるブラックプリント部材、光吸収部材、またはインクジェット方式を通じて形成することができるブラック染料のうち、少なくとも１つの材質からなることができる。
これにより、上記光源の光が上記ディスプレイ装置の外部に漏れることを遮断する。
【０１２６】
そして、上記光漏れ防止部材（１４０）が上記ＴＡＣ層（３２１ａ）の内側面に結合される場合、上記ＴＡＣ層（３２１ａ）の外側面には、黒色ではなくて他の色を有する部材を結合することができる。
【０１２７】
例えば、上記ＴＡＣ層（３２１ａ）の内側面に上記光漏れ防止部材（１４０）が結合される場合、上記ＴＡＣ層（３２１ａ）の外側面には蛍光色を有する部材が結合され、使用者に美麗なデザインを提供する効果がある。
【０１２８】
図１０ａ〜図１０ｂは、本願発明によるディスプレイ装置の第４実施例に対するＩ−Ｉ’方向（図２参照）の断面図である。本第４実施例を説明するにおいて、以前の第１〜第３実施例と同一または対応する構成要素に関する説明は、省略する。以下では、本第４実施例によるディスプレイ装置について説明する。
【０１２９】
本願発明の第４実施例によるディスプレイ装置は、液晶パネル（１００）と上記液晶パネル（１００）に光を提供する光源を含むバックライトユニット（１１０ａ）及び偏光部（４２０）を含む。
【０１３０】
そして、上記ディスプレイ装置を構成する上記偏光部（４２０）は、第１偏光部材（４２０ａ）及び第２偏光部材（４２０ｂ）を含む。
より具体的には、上記第１偏光部材（４２０ａ）は、上記液晶パネル（１００）の上部に付着され、上記第２偏光部材（４２０ｂ）は、上記液晶パネル（１００）の下部に付着される。
【０１３１】
また、図１０ａの拡大図に図示されたように、上記第２偏光部材（４２０ｂ）は、ＴＡＣ層（４２１ｂ）を含む。
そして、上記第２偏光部材（４２０ｂ）は、上記ＴＡＣ層（４２１ｂ）の上部に積層されるＰＳＡ層（４２２ｂ）を含む。
【０１３２】
また、上記第２偏光部材（４２０ｂ）は、上記ＴＡＣ層（４２１ｂ）の下部に積層されるＰＶＡ層（４２３ｂ）と上記ＰＶＡ層（４２３ｂ）下部に積層されるＴＡＣ層（４２５ｂ）及び上記ＴＡＣ層（４２５ｂ）下部に付着されるＰＳＡ層（４２７ｂ）を含む。
【０１３３】
図１０ａの拡大図に基づいて、上記第２偏光部材（４２０ｂ）を構成する各層について詳察する。
上記ＴＡＣ層（４２１ｂ）は、上記ＰＶＡ層（４２３ｂ）を保護するための保護層であって、透明な材質からなることを特徴とする。
【０１３４】
そして、上記ＰＳＡ層（４２２ｂ）は、光学用透明粘着層であって、上記第２偏光部材（４２０ｂ）を上記液晶パネル（１００）の下部に付着する機能を有する。
また、上記ＰＶＡ層（４２３ｂ）は、上記液晶パネル（１００）を通過する光を偏光させる機能を有する。
【０１３５】
そして、上記ＴＡＣ層（４２５ｂ）は、上述した上記ＴＡＣ層（４２１ｂ）と同一の材質及び機能を有する。
【０１３６】
さらに、上記ＰＳＡ層（４２７ｂ）は、上述した上記ＰＳＡ層（４２２ｂ）と同一の材質及び機能を有する。
【０１３７】
図４ａに基づいて説明された上記第１偏光部材（１２０ａ）と同じく、上記第２偏光部材（４２０ｂ）を構成する上記ＴＡＣ層（４２１ｂ）の一面には、上記バックライトユニット（１１０ａ）の外部を囲むために曲げられることをガイドするためのベンディング部を形成することができる。
【０１３８】
これにより、図１０ｂに図示されたように、上記第２偏光部材（４２０ｂ）を構成する上記ＴＡＣ層（４２１ｂ）は、上記バックライトユニット（１１０ａ）の外部を囲むようになる。
【０１３９】
より具体的には、図１０ａに図示されたように、上記ＴＡＣ層（４２１ｂ）は、上記液晶パネル（１００）の外側方向に延長形成される。
即ち、図２及び図３ａに基づいて上記電源データ供給部材（１６０）が連結された方向（Ｘ軸方向）に位置する上記光源と垂直な方向にある上記ＴＡＣ層（４２１ｂ）の側面が、Ｘ軸方向に延長形成される。
【０１４０】
そして、図１０ｂに図示されたように、上記第２偏光部材（４２０ｂ）を構成する上記ＴＡＣ層（４２１ｂ）は、上記バックライトユニット（１１０ａ）の外部を囲むようになる。
これにより、従来のディスプレイ装置を構成するトップケース及びガイドパネルのような構造物を不要とし、上記ＴＡＣ層（４２１ｂ）を用いて上記液晶パネル（１００）と上記バックライトユニット（１１０ａ）を一体化させることによって、上記ディスプレイ装置の軽量化を具現できる効果がある。
【０１４１】
そして、図１０ａ及び図１０ｂに図示された上記ＴＡＣ層（４２１ｂ）は、上記光源と垂直な側面がＸ軸方向に延長形成されたが、さらに、上記光源と平行な側面もＹ軸方向に延長形成することができる。
これにより、図２に図示されたように、上記電源データ供給部材（１６０）を除いた上記ディスプレイ装置の外部一部領域であるＣＡ領域及びこれと反対方向の外部領域（ＤＡ）を上記第２偏光部材（４２０ｂ）によって囲むことができる。
【０１４２】
即ち、上記第２偏光部材（４２０ｂ）を構成する上記ＴＡＣ層（４２１ｂ）は、上記光源と平行な面がさらに延長形成されることによって、図２に図示されたように、上記ディスプレイ装置のＣＡ領域とその反対側領域（ＤＡ）まで囲むようになり、上記液晶パネル（１００）と上記バックライトユニット（１１０ａ）の結合力を向上させることができる効果がある。
【０１４３】
図１０ｂに図示されたように、上記偏光部（４２０）には、上記光源の光の漏れを遮断する光漏れ防止部材（１４０）を結合することができる。
より具体的には、本第４実施例によって上記光漏れ防止部材（１４０）は、上記光源の光が上記ディスプレイ装置の外部に漏れることを防止するために上記第２偏光部材（４２０ｂ）を構成する上記ＴＡＣ層（４２１ｂ）の一面または他面のうち、少なくとも１つの面に結合されることができる。
【０１４４】
即ち、図示されたように、上記光漏れ防止部材（１４０）は、上記バックライトユニット（１１０ａ）の外部を囲む上記ＴＡＣ層（４２１ｂ）の外側面に結合される。
また、上記光漏れ防止部材（１４０）は、上記ＴＡＣ層（４２１ｂ）の内側面に結合することができる。
【０１４５】
また、上記光漏れ防止部材（１４０）は、上記光源の光が上記ディスプレイ装置の外部に漏れることを遮断するために、遮光テープ、プリント印刷方式を通じて形成することができるブラックプリント部材、光吸収部材、またはインクジェット方式を通じて形成することができるブラック染料のうち、少なくとも１つの材質からなることができる。
これにより、上記光源の光が上記ディスプレイ装置の外部に漏れることを遮断する。
【０１４６】
そして、上記光漏れ防止部材（１４０）が上記ＴＡＣ層（４２１ｂ）の内側面に結合される場合、上記ＴＡＣ層（４２１ｂ）の外側面には、黒色ではなくて他の色を有する部材を結合することができる。
【０１４７】
例えば、上記ＴＡＣ層（４２１ｂ）の内側面に上記光漏れ防止部材（１４０）が結合される場合、上記ＴＡＣ層（４２１ｂ）の外側面には蛍光色を有する部材が結合され、使用者に美麗なデザインを提供する効果がある。
【０１４８】
そして、図１０ａ及び図１０ｂに図示されたように、上記液晶パネル（１００）の側面には、外部の衝撃によるパネルの破損及び光の漏れを防止するためのサイドシーリング部を形成することができる。
【０１４９】
また、上記バックライトユニット（１１０ａ）の外部を囲む上記光漏れ防止部材（１４０）の外側面と上記液晶パネル（１００）の外部には、シーリング部材（１５０）を塗布することができる。
【０１５０】
これにより、上記液晶パネル（１００）と上記バックライトユニット（１１０ａ）の結合力が向上する効果がある。
【符号の説明】
【０１５１】
１００  液晶パネル、１１０ａ、１１０ｂ  バックライトユニット、１１１  光源、１１２ｂ  導光板、１１３ｂ  光学シート、１１３ａ  導光板、１１４ｂ  光源収容部材、１１５ａ  光学シート、１１５ｂ  支持部、１１６ｂ  反射シート、１１７ａ  収納部材、１１７ｂ  液晶パネル支持部、１１８ａ  支持部、１１８ｂ  支持部材、１１９ａ  反射シート、１２０  偏光部、１２０ａ  第１偏光部材、１２０ｂ  第２偏光部材、１２２ａ、１２２ｂ  ベンディング部、１４０  光漏れ防止部材、３２１ａ、４２１ｂ  ＴＡＣ（トリアセチルセルロース）層。
【図１】
2014170216.tif 000003
【図２】
2014170216.tif 000004
【図３ａ】
2014170216.tif 000005
【図３ｂ】
2014170216.tif 000006
【図３ｃ】
2014170216.tif 000007
【図４ａ】
2014170216.tif 000008
【図４ｂ】
2014170216.tif 000009
【図５ａ】
2014170216.tif 000010
【図５ｂ】
2014170216.tif 000011
【図５ｃ】
2014170216.tif 000012
【図６】
2014170216.tif 000013
【図７】
2014170216.tif 000014
【図８ａ】
2014170216.tif 000015
【図８ｂ】
2014170216.tif 000016
【図９ａ】
2014170216.tif 000017
【図９ｂ】
2014170216.tif 000018
【図１０ａ】
2014170216.tif 000019
【図１０ｂ】
2014170216.tif 000020